(57)【要約】【課題】  ユーザの頭部におけるＳＡＲを低減させるとともに、アンテナの放射性能を向上させることができる携帯電話機を提供することを目的とする。【解決手段】  略矩形からなる前面の上端付近に通話用レシーバ１１が形成された筐体１０と、筐体１０の上端面１０Ａに対向する対向面１５Ａを有し、筐体１０に対し開閉可能に連結されたフラップ１５と、対向面１５Ａに配置され、通話信号を送受信するための平面アンテナ１７とを備え、フラップ１５を開く開操作により、通話用レシーバ１１の近傍において、フラップ１５が筐体１０の後方へ突出するとともに、対向面１５Ａが上方に向けられる。このため、頭部ＳＡＲを低減するとともに、アンテナの放射性能を向上させることができる。【選択図】  図２
2013214892.tif 000002
【特許請求の範囲】
【請求項１】
略矩形からなる前面の上端付近に通話用レシーバが形成された薄型筐体と、
上記薄型筐体の上端面に対向する対向面を有し、上記薄型筐体に対し開閉可能に連結された可動部と、
上記対向面に配置され、通話信号を送受信するための平面アンテナとを備え、
上記可動部を開く開操作により、上記通話用レシーバの近傍において、上記可動部が上記薄型筐体の後方へ突出するとともに、上記対向面が上方に向けられることを特徴とする携帯電話機。
【請求項２】
上記可動部の開閉状態を検出する開閉状態検出手段と、
待受状態における上記可動部の開操作に基づいて、発信先を指定するための発信先指定画面を表示する発信先指定手段と、
着信呼出中における上記可動部の開操作に基づいて、着信応答信号を生成する着信応答手段とを備えたことを特徴とする請求項１に記載の携帯電話機。
【請求項３】
通話中に上記可動部を閉じる閉操作に基づいて、上記通話を終了させる通話終了手段を備えたことを特徴とする請求項１又は２に記載の携帯電話機。
【請求項４】
上記可動部は、薄い板状体からなることを特徴とする請求項１〜３のいずれかに記載の携帯電話機。
【発明の詳細な説明】
【技術分野】
【０００１】
本発明は、携帯電話機に係り、更に詳しくは、平面アンテナを備えた携帯電話機の改良に関する。
【背景技術】
【０００２】
近年、電磁波が人体へ与える影響が懸念されている。電磁波の影響は、例えば、人体頭部が電磁波に曝されることによって吸収するエネルギー量を示す比吸収率（ＳＡＲ：Specific Absorption Rate）を用いて評価される。携帯電話機は、通話時にレシーバをユーザの耳に当てて使用するため、レシーバから遠い位置にアンテナを配置することにより、ユーザの頭部におけるＳＡＲを低減させることができる。
【０００３】
かつての携帯電話機は、筐体上部から引き出して使用するホイップアンテナを備えるものが一般的であったが、現在では、小型軽量化が容易な平面アンテナを備えているものが一般的になっている。例えば、一般にスマートフォンと呼ばれる携帯電話機の場合、略矩形の前面を有する薄型筐体を備え、平面アンテナを内蔵している。
【０００４】
この様なスマートフォンでは、レシーバを筐体上部に配置し、平面アンテナを筐体下部に配置する構成が一般的である。この様な構成を採用することにより、平面アンテナをレシーバから遠い位置に配置することができ、頭部のＳＡＲを低減させることができる。しかしながら、通話中のユーザは筐体下部を把持していることから、筐体下部に配置された平面アンテナは、ユーザの手によって覆われ、その放射性能が低下してしまうという問題があった。
【０００５】
特許文献１には、アンテナを内蔵した可動部を筐体上部に設けた携帯電話機が記載されている。この携帯電話機は、一対の筐体をスライドさせることができるスライド型携帯電話機であり、上記筐体を展開させるスライド操作によって上記可動部が筐体の背面側に傾くように構成されている。このため、アンテナを人体や金属製のスライド機構から遠ざけ、アンテナの放射効率を向上させるとともに、人体頭部に対するＳＡＲを低下させている。
【先行技術文献】
【特許文献】
【０００６】
【特許文献１】特開２００９−４９５８３号公報
【発明の概要】
【発明が解決しようとする課題】
【０００７】
特許文献１に記載された携帯電話機では、通話時にはスライド展開させた状態になり、レシーバが筐体の上部に配置されるのに対し、アンテナは、筐体の中央付近に配置され、レシーバよりも低い位置に配置される。このため、通話中にユーザの手によって覆われ、アンテナの放射性能が低下するという問題があった。
【０００８】
また、特許文献１の携帯電話機は、スライド操作によって可動部を移動させているため、アンテナをやや傾けることができる程度であり、ＳＡＲを十分に低下させることができないという問題があった。さらに、金属製のスライド機構がアンテナの放射効率を低下させてしまうという問題もあった。
【０００９】
本発明は、上記の事情に鑑みてなされたものであり、ユーザの頭部におけるＳＡＲを低減させるとともに、アンテナの放射性能を向上させることができる携帯電話機を提供することを目的とする。また、発信時、着信応答時又は通話終了時におけるユーザ操作を煩雑化させることなく、可動部を開閉することができる携帯電話機を提供することを目的とする。
【課題を解決するための手段】
【００１０】
第１の本発明による携帯電話機は、略矩形からなる前面の上端付近に通話用レシーバが形成された薄型筐体と、上記薄型筐体の上端面に対向する対向面を有し、上記薄型筐体に対し開閉可能に連結された可動部と、上記対向面に配置され、通話信号を送受信するための平面アンテナとを備え、上記可動部を開く開操作により、上記通話用レシーバの近傍において、上記可動部が上記薄型筐体の後方へ突出するとともに、上記対向面が上方に向けられるように構成される。
【００１１】
この様な構成によれば、可動部を開いた状態では、平面アンテナが形成された可動部を薄型筐体の後方へ突出させ、平面アンテナを人体頭部及び薄型筐体から遠ざけることができる。このため、人体頭部におけるＳＡＲを低下させるとともに、平面アンテナの放射特性を向上させることができる。また、平面アンテナの上方が開放されているため、平面アンテナの放射特性を更に向上させることができる。さらに、平面アンテナは、通話用レシーバの近傍に配置されているため、平面アンテナがユーザの手で覆われて放射性能が低下することもない。一方、可動部を閉じた状態では、平面アンテナが薄型筐体の上端面と対向しているため、携行及び収納に適した形状になるとともに、平面アンテナを保護することができる。
【００１２】
第２の本発明による携帯電話機は、上記構成に加え、上記可動部の開閉状態を検出する開閉状態検出手段と、待受状態における上記可動部の開操作に基づいて、発信先を指定するための発信先指定画面を表示する発信先指定手段と、着信呼出中における上記可動部の開操作に基づいて、着信応答信号を生成する着信応答手段とを備えて構成される。
【００１３】
この様な構成によれば、着信呼出を行っていない待受状態であれば、可動部の開操作に基づいて発信先指定画面が表示されるため、可動部の開操作と、発信先指定画面を表示させる操作とを個別に行う必要がない。また、着信呼出中であれば、可動部の開操作に基づいて着信応答信号が生成され、可動部の開操作と、着信応答操作とを個別に行う必要がない。従って、発信時及び着信時のいずれであっても、ユーザ操作を煩雑化させることなく、可動部を開くことができる。
【００１４】
第３の本発明による携帯電話機は、上記構成に加え、通話中に上記可動部を閉じる閉操作に基づいて、上記通話を終了させる通話終了手段を備えて構成される。
【００１５】
この様な構成によれば、可動部の閉操作を行うことにより、通話を終了させることができるので、可動部の閉操作と通話終了操作とを個別に行う必要がなく、通話終了時におけるユーザ操作を煩雑化させることなく、可動部を閉じることができる。
【００１６】
第４の本発明による携帯電話機は、上記可動部が薄い板状体からなる。この様な構成により、薄型筐体を大型化することなく実現することができる。
【発明の効果】
【００１７】
本発明によれば、薄型筐体に対し開閉可能に連結された可動部が、薄型筐体の上端面と対向する対向面を有し、当該対向面に平面アンテナが形成されている。そして、可動部の開操作により、可動部が薄型筐体の後方へ突出する。このため、人体頭部におけるＳＡＲを低下させるとともに、平面アンテナの放射特性を向上させることができる。一方、可動部を閉じた状態では、平面アンテナが薄型筐体の上端面と対向するため、携行及び収納に適した形状になるとともに、平面アンテナを保護することができる。
【００１８】
これに加えて、可動部が開いた状態では、その対向面が上方に向けられ、平面アンテナの上方が開放されている。このため、平面アンテナの放射特性を更に向上させることができる。また、平面アンテナが通話用レシーバの近傍に配置されるため、ユーザの手で平面アンテナが覆われて放射特性が低下することもない。従って、可動部を開いた状態では、極めて良好な放射特性を得ることができる。
【００１９】
また、本発明によれば、待受状態では、可動部の開操作に基づいて発信先指定画面が表示され、着信呼出中には、上記可動部の開操作に基づいて着信応答信号が生成される。このため、発信時及び着信時のいずれであっても、ユーザ操作を煩雑化させることなく、可動部を開くことができる。
【００２０】
また、本発明によれば、通話中における可動部の閉操作に基づいて、上記通話を終了させることができる。このため、通話終了時におけるユーザ操作を煩雑化させることなく、可動部を閉じることができる。
【図面の簡単な説明】
【００２１】
【図１】本発明の実施の形態１による携帯電話機１の一構成例を示した外観図である。
【図２】通話中の携帯電話機１をユーザが把持している状態を示した図である。
【図３】フラップ１５の開閉状態の一例を示した図であり、図１の携帯電話機１の左側面が示されている。
【図４】図１の携帯電話機１の内部構成の一例を示したブロック図である。
【図５】図１の携帯電話機１の要部について機能構成の一連を示したブロック図である。
【図６】図１の携帯電話機１のＬＣＤ１２ａに表示されるダイヤル入力画面を示した図である。
【図７】図１の携帯電話機１における動作の一例を示したフローチャートである。
【図８】図１の携帯電話機１における動作の一例を示したフローチャートである。
【図９】本発明の実施の形態２における携帯電話機のＬＣＤ１２ａに表示される宛先リスト表示画面の例を示している。
【発明を実施するための形態】
【００２２】
実施の形態１．
図１は、本発明の実施の形態１による携帯電話機１の一構成例を示した外観図である。携帯電話機１は、筐体１０の前面に、通話用レシーバ１１、タッチパネル１２、操作キー１３及び通話用マイクロフォン１４が配置され、筐体１０の上端面には、フラップ１５がヒンジ部１６を介して開閉可能に取り付けられている。
【００２３】
筐体１０は、その前面が略矩形の平面からなる薄い形状を有している。ここでは、前面が略矩形の板状体である場合について説明するが、筐体１０の各面は、その一部又は全部が曲面で形成されていてもよい。
【００２４】
通話用レシーバ１１は、ユーザが耳を当てた状態で通話するための音声出力手段であり、筐体１０の前面における上端付近に配置されている。この通話用レシーバ１１は、通話時にセルラー基地局（不図示）から受信した通話信号に基づいて、受話音を出力する。タッチパネル１２は、表示画面上に画像を表示するとともに、表示画面に対するタッチ操作を検出する。例えば、表示画面上における静電容量の変化を検出することにより、ユーザ操作が行われた表示画面上の位置を検出している。このタッチパネル１２は、筐体１０の前面の大部分を占めており、通話用レシーバ１１は、タッチパネル１２よりも上方に配置されている。
【００２５】
操作キー１３は、ユーザがメニュー画面などを表示するためのキーである。通話用マイクロフォン１４は、送話音を入力するための音声入力手段であり、筐体１０の前面における下端付近に配置されている。つまり、通話用レシーバ１１及び通話用マイクロフォン１４は、タッチパネル１２を挟んで互いに反対側に配置されている。
【００２６】
フラップ１５は、筐体１０の上端面に対向するように配置された開閉可能な可動部である。フラップ１５は、その後端がヒンジ部１６を介して筐体１０の上端面における背面側に連結されている。このため、ユーザは、指でフラップ１５を容易に開閉させることができる。
【００２７】
図２は、通話中の携帯電話機１をユーザが把持している状態を示した図である。この携帯電話機１は、携行時や収納時には、図１に示すように、フラップ１５を閉じた状態にし、通話時には、図２に示すように、フラップ１５を開いた状態にして使用される。
【００２８】
図３は、フラップ１５の開閉状態の一例を示した図であり、図１の携帯電話機１の左側面が示されている。図３（ａ）には、図１に対応するフラップ１５を閉じた状態が示され、図３（ｂ）には、図２に対応するフラップ１５を開いた状態が示されている。
【００２９】
図３（ａ）の状態において、ユーザがフラップ１５の開操作を行えば、ヒンジ部１６を中心にしてフラップ１５が約１８０°回転し、図３（ｂ）の状態となる。また、図３（ｂ）の状態において、ユーザがフラップ１５の閉操作を行えば、フラップ１５を逆方向に回転させ、図３（ａ）の状態に戻すことができる。なお、フラップ１５の開操作及び閉操作は、ユーザの指でフラップ１５を押圧して回転させることにより行われる。
【００３０】
フラップ１５は、筐体１０の上端面１０Ａと対向する対向面１５Ａを有し、当該対向面１５Ａは当該上端面１０Ａと略同一の形状からなる。このため、図１及び図３（ａ）に示すように、フラップ１５を閉じた状態では、筐体１０の上端面１０Ａがフラップ１５によって覆われている。このとき、携帯電話機１は、フラップ１５の高さだけ、筐体１０を上方に延長した形状となる。つまり、フラップ１５には、筐体１０から顕著に突出する部分がなく、携行時や収納時にコンパクトになるとともに周囲に引っかかり難くなり、取り扱いが容易である。なお、フラップ１５の上下方向の厚さは薄い方が望ましく、ここでは、フラップ１５が筐体１０の奥行よりも薄い板状体であるものとする。
【００３１】
一方、図２及び図３（ｂ）に示すように、フラップ１５を開いた状態では、フラップ１５が筐体１０から後方へ突出した状態になるとともに、フラップ１５の上下が逆転し、筐体１０の上端面１０Ａと、フラップ１５の対向面１５Ａとは、いずれも上方を向き、上方が開放された状態になる。また、筐体１０の上端面１０Ａには、開閉検出センサ１８が配置され、フラップ１５の対向面１５Ａには、平面アンテナ１７が配置されている。
【００３２】
平面アンテナ１７は、フラップ１５により支持される平板状のアンテナであり、セルラー通信用のアンテナとして、セルラー基地局との間で無線信号の送受信を行っている。例えば、所定の導電性パターンが形成されたフレキシブル基板を用いることができる。図中では、このようなフレキシブル基板が、フラップ１５の対向面１５Ａに固着されており、その一端が、ヒンジ部１６に沿って筐体１０の上端面１０Ａへ延び、さらに筐体１０内の通信制御回路（不図示）に接続されている。このため、フラップ１５の開閉状態にかかわらず、平面アンテナ１７を利用することができる。
【００３３】
開閉検出センサ１８は、フラップ１５の開閉状態を検出する開閉状態検出手段であり、フラップ１５の開閉状態に応じた検出信号を出力する。
【００３４】
この携帯電話機１は、フラップ１５の開操作を行うことにより、フラップ１５を筐体１０の後方へ突出させることができる。このため、フラップ１５を閉じている場合に比べ、平面アンテナ１７を通話用レシーバ１１から遠ざけることができる。従って、通話時の人体頭部におけるＳＡＲを低減するとともに、平面アンテナ１７の放射特性を向上させることができる。
【００３５】
また、フラップ１５が開いている状態では、平面アンテナ１７を上方に向け、その上方が開放された状態になっている。このため、フラップ１５を閉じている場合に比べ、平面アンテナ１７の放射特性を向上させることができる。
【００３６】
また、フラップ１５が開いている状態で、平面アンテナ１７は、通話用レシーバ１１の近傍に配置されている。一般に、通話用レシーバ１１に耳を当てて通話しているユーザは、その手が耳よりも低くなるように携帯電話機１を把持する。つまり、携帯電話機１の場合、図２に示すように、筐体１０の下部、特に、通話用レシーバ１１よりも下側部分が把持される。このため、通話時の平面アンテナ１７は、ユーザの手で覆われ難く、放射特性が低下するのを防止することができる。
【００３７】
さらに、フラップ１５が閉じている状態では、開いている状態に比べ、筐体１０からの突出部分が少なくなる。このため、フラップ１５を閉じることにより、携行や収納に適した形状になる。また、フラップ１５が閉じている状態では、平面アンテナ１７が筐体１０の上端面１０Ａと対向しているため、外力により平面アンテナ１７が破損するのを防止することができる。
【００３８】
なお、平面アンテナ１７は、フラップ１５を閉じた状態では、開いた状態に比べて放射特性が低下する。この状態でも、セルラー通信を行うことは可能であるが、平面アンテナ１７から通話用レシーバ１１間での距離が近く、頭部ＳＡＲが増大することから、通話に使用することは望ましくない。ただし、通話用レシーバ１１に耳を近づけないデータ通信であれば、このような問題は生じない。しかも、データ通信時には、人体頭部の影響を受けて平面アンテナ１７の放射性能が低下することがないため、通話時よりも良好な放射特性が得られる。
【００３９】
図４は、図１の携帯電話機１の内部構成の一例を示したブロック図であり、携帯電話機１の主なハードウェア構成が示されている。この携帯電話機１は、主制御部２１、平面アンテナ１７、通信制御部２２、開閉検出センサ１８、表示制御部２３、タッチパネル１２、操作入力部２４、操作キー１３、音声制御部２５、通話用レシーバ１１及び通話用マイクロフォン１４により構成される。タッチパネル１２は、表示画面を備えたＬＣＤ１２ａと、表示画面に対するタッチ操作を検出するタッチセンサ１２ｂとによって構成される。
【００４０】
主制御部２１は、携帯電話機１の主要な動作を制御するプロセッサである。通信制御部２２は、平面アンテナ１７を介して、セルラー基地局との間で通話信号を含む無線信号の送受信を行っている。表示制御部２３は、ＬＣＤ１２ａの表示制御を行っている。
【００４１】
操作入力部２４は、タッチセンサ１２ｂや操作キー１３に対するユーザ操作を監視し、ユーザ操作があれば、操作入力信号を主制御部２１へ出力する。音声制御部２５は、通話用レシーバ１１や通話用マイクロフォン１４を制御し、通話音の入出力を行っている。
【００４２】
開閉検出センサ１８は、フラップ１５の開閉状態を監視し、フラップの開閉状態を示す検出信号を主制御部２１へ出力する。
【００４３】
図５は、図１の携帯電話機１の要部について機能構成の一例を示したブロック図である。この携帯電話機１は、開閉検出センサ１８、発信先指定部３１、表示制御部２３、記憶部３２、ＬＣＤ１２ａ、通信制御部２２及び平面アンテナ１７により構成される。
【００４４】
発信先指定部３１は、開閉検出センサ１８の検出信号に基づいて、発信先指定画面を表示するための制御信号を生成する。表示制御部２３は、発信先指定部３１の制御信号に基づいて、記憶部３２内に保持されている発信先指定画面のデータを読み出し、ＬＣＤ１２ａ上に発信先指定画面を表示する。ここでは、待受状態において、ユーザがフラップ１５の開操作を行った場合に、ＬＣＤ１２ａに発信先指定画面を表示させる。このため、発信時に、発信先指定画面を表示させる操作と、フラップ１５の開操作とをそれぞれ行う必要はなく、従来の携帯電話機と比べて着信応答時の操作が煩雑化することはない。なお、発信先指定画面は、発信先の電話番号を入力するための番号キーが表示されたダイヤル入力画面である。また、待ち受け状態とは、少なくとも、通話中でなく、かつ、発信や着信呼出も行われていない状態を意味する。
【００４５】
通信制御部２２は、着信応答部２２ａ及び通話終了部２２ｂからなる。着信応答部２２ａは、開閉検出センサ１８の検出信号に基づいて、着信応答信号を生成する着信応答手段である。着信応答部２２ａが、着信応答信号を送信することにより、通信路が確立され、通話を開始することができる。ここでは、着信呼出中に、ユーザがフラップ１５の開操作を行った場合に、着信応答信号が生成され、セルラー基地局へ送信される。つまり、フラップ１５の開操作が、着信応答のためのオフフック操作として機能する。このため、着信応答時に、オフフック操作と、フラップ１５の開操作とをそれぞれ行う必要はなく、従来の携帯電話機と比べて着信応答時の操作が煩雑化することはない。
【００４６】
通話終了部２２ｂは、開閉検出センサ１８の検出信号に基づいて、通話を終了させる通話終了手段である。通話中に、ユーザがフラップ１５の閉操作を行った場合に、当該通話を終了させる。つまり、フラップ１５の閉操作が、通話終了のためのオンフック操作として機能する。このため、通話終了時に、オンフック操作と、フラップ１５の閉操作とをそれぞれ行う必要はなく、従来の携帯電話機と比べて通話終了時の操作が煩雑化することはない。
【００４７】
図６は、図４のＬＣＤ１２ａに表示される発信先指定画面の一例として、ダイヤル入力画面を示した図である。ダイヤル入力画面は、発信先の電話番号を入力するための画面であり、フラップ１５を開くユーザ操作が行われたときに表示される。
【００４８】
このダイヤル入力画面は、番号表示領域Ａ１と、番号表示領域Ａ１の下方に形成されたキー表示領域Ａ２とからなる。番号表示領域Ａ１には、ユーザに入力された電話番号が表示される。キー表示領域Ａ２には、複数の入力キー４１や、オフフックキー４２及び削除キー４３が配置されている。入力キー４１は、電話番号を入力するためのキーであり、ここでは、番号「１」〜「９」、「＊」、「０」及び「＃」に対応する入力キー４１が整列配置されている。いずれかの入力キー４１を選択することにより、その入力キー４１に対応する番号又は記号が入力される。オフフックキー４２は、オフフック機能が割り当てられたキーである。また、削除キー４３は、入力された番号を末端から１文字削除するためのキーである。
【００４９】
図７及び図８のステップＳ１０１〜Ｓ１１３は、図１の携帯電話機１における動作の一例を示したフローチャートであり、通話処理の一例が示されている。このフローチャートは、待受状態において実行される。まず、通信制御部２２が、着信信号を受信したか否かを判定する（ステップＳ１０１）。着信信号を受信していない場合、発信先指定部３１がフラップ１５の開操作が行われたか否かを判別する（ステップＳ１０２）。フラップ１５の開操作が行われていなければ、ステップＳ１０１の処理に戻る。
【００５０】
一方、フラップ１５の開操作が行われた場合、発信先指定部３１が、発信先の電話番号を入力するためのダイヤル入力画面をＬＣＤ１２ａ上に表示させる（ステップＳ１０３）。このダイヤル入力画面においてユーザにより発信先の電話番号が入力された後、通信制御部２２が、オフフック操作が行われたか否かを判別する（ステップＳ１０４ ，Ｓ１０５）。オフフックキー４２を選択するオフフック操作が行われれば、通信制御部２２が、セルラー基地局へ発呼信号を送信する（ステップＳ１０６）。その後、発信先電話機が着信応答を返信すれば、発信先電話機との通話状態が確立される（ステップＳ１０７）。
【００５１】
通話中には、通話終了部２２ｂが、フラップ１５の閉操作が行われたか否かを判別する（ステップＳ１０８）。フラップ１５の閉操作が行われれば、通話終了部２２ｂが通話状態を終了させる（ステップＳ１０９）。
【００５２】
一方、ステップＳ１０１において着信信号を受信した場合には、表示制御部２３が、ＬＣＤ１２ａ上に着信呼出中である旨を表示するとともに、呼出音が鳴動し、着信呼出が行われる（ステップＳ１１０，Ｓ１１１）。着信応答部２２ａは、当該着信呼出中にフラップ１５の開操作が行われたか否かを判別する（ステップＳ１１２）。フラップ１５の開操作が行われた場合、着信応答部２２ａが着信応答信号を生成して通話状態を確立し、ステップＳ１０８の処理に移る（ステップＳ１１３）。
【００５３】
本実施の形態による携帯電話機１は、フラップ１５の開操作を行うことにより、フラップ１５を筐体１０の後方へ突出させることができる。このため、通話時の人体頭部におけるＳＡＲを低減するとともに、平面アンテナ１７の放射特性を向上させることができる。
【００５４】
また、本実施の形態による携帯電話機１は、フラップ１５が開いている状態では、平面アンテナ１７を上方に向け、平面アンテナ１７の上方が開放された状態になる。このため、フラップ１５を閉じている場合に比べ、平面アンテナ１７の放射特性を向上させることができる。
【００５５】
また、本実施の形態による携帯電話機１は、フラップ１５が開いている状態で、平面アンテナ１７が、通話用レシーバ１１の近傍に配置されている。このため、通話時の平面アンテナ１７は、ユーザの手で覆われ難く、放射特性が低下するのを防止することができる。
【００５６】
また、本実施の形態による携帯電話機１は、フラップ１５が閉じている状態では、開いている状態に比べ、筐体１０からの突出部分が少なくなる。このため、携行や収納に適した形状になる。また、フラップ１５が閉じている状態では、平面アンテナ１７が筐体１０の上端面１０Ａと対向しているため、外力により平面アンテナ１７が破損するのを防止することができる。
【００５７】
また、本実施の形態による携帯電話機１は、待受状態におけるフラップ１５の開操作に基づいて、発信先指定画面が表示されるため、従来の携帯電話機と比べて、発信時の操作が煩雑化することはない。
【００５８】
また、本実施の形態による携帯電話機１は、着信呼出時にけるフラップ１５の開操作に基づいて、着信応答信号が生成され、通話状態が確立されるため、従来の携帯電話機と比べて、着信応答時の操作が煩雑化することはない。
【００５９】
また、本実施の形態による携帯電話機１は、通話終了時におけるフラップ１５の閉操作に基づいて、通話を終了するため、従来の携帯電話機と比べて、通話終了時の操作が煩雑化することはない。
【００６０】
実施の形態２．
実施の形態１では、発信先指定画面として、発信先の電話番号を入力するためのダイヤル入力画面を表示する場合の例について説明した。これに対し、本実施の形態では、発信先指定画面として、ユーザが予め登録した宛先の一覧からなる宛先リスト表示画面を表示する構成について説明する。
【００６１】
図９は、本実施の形態における携帯電話機のＬＣＤ１２ａに表示される宛先リスト表示画面の例を示している。宛先リスト表示画面は、待受状態時にフラップ１５の開操作があった場合に表示され、ユーザが予め登録した宛先の一覧が表示される。この例では、氏名「佐藤  一郎」、電話番号「ＸＸＸ−ＸＸＸＸ−ＸＸＸＸ」からなる宛先と、氏名「鈴木  太郎」、電話番号「ＹＹＹ−ＹＹＹＹ−ＹＹＹＹ」からなる宛先とが登録されている。
【００６２】
この宛先リスト表示画面では、各宛先に対応付けられた選択キー４４がそれぞれ表示されており、この選択キー４４を選択すれば、対応する宛先が発信先として選択され、セルラー基地局へ発呼信号が送信される。例えば、氏名「佐藤  一郎」に対応する選択キー４４を選択すれば、この宛先が発信先として選択され、発呼信号が送信される。
【００６３】
なお、実施の形態１及び２では、フラップ１５を閉じた状態では、フラップ１５が、筐体１０の上端面１０Ａのほぼ全面を覆う場合の例について説明した。しかしながら、本発明は、このような場合のみに限定されず、フラップ１５が筐体１０の上端面１０Ａの一部を覆う構成であってもよい。
【００６４】
また、実施の形態１及び２では、フラップ１５が、ヒンジ部１６により筐体１０の上端面に連結される場合の例について説明した。しかしながら、フラップ１５は、筐体１０に対し開閉可能に連結されていればよく、その連結方法は問わない。
【符号の説明】
【００６５】
１    携帯電話機
１０    筐体
１０Ａ  上端面
１１    通話用レシーバ
１２    タッチパネル
１２ａ  ＬＣＤ
１２ｂ  タッチセンサ
１３    操作キー
１４    通話用マイクロフォン
１５    フラップ
１５Ａ    対向面
１６    ヒンジ部
１７    平面アンテナ
１８    開閉検出センサ
２１    主制御部
２２    通信制御部
２２ａ    着信応答部
２２ｂ    通話終了部
２３    表示制御部
２４    操作入力部
２５    音声制御部
３１    発信先指定部
３２    記憶部
４１    入力キー
４２    オフフックキー
４３    削除キー
４４    選択キー
Ａ１    番号表示領域
Ａ２    キー表示領域
【図１】
2013214892.tif 000003
【図２】
2013214892.tif 000004
【図３】
2013214892.tif 000005
【図４】
2013214892.tif 000006
【図５】
2013214892.tif 000007
【図６】
2013214892.tif 000008
【図７】
2013214892.tif 000009
【図８】
2013214892.tif 000010
【図９】
2013214892.tif 000011